(57)【要約】【課題】内部に保管されている管理情報の漏えいを抑制しつつ、外部システムによる情報の閲覧を効果的に行う。【解決手段】ディレクタ端末への入力操作に基づいて特定の対象者の管理情報を情報閲覧用サーバーにアップロードさせるアップロード指示をディクタ端末から受けると、管理サーバーは、特定の対象者の管理情報を情報閲覧用サーバーにアップロードするケアサポートシステム。【選択図】図７
2019194764.tif 000002
【特許請求の範囲】
【請求項１】
日常の生活を支援する対象となる対象者の管理情報を管理する管理サーバーと、
前記管理サーバーによって管理されるとともに、前記管理サーバーで管理されている前記入居者の管理情報の少なくとも一部を外部システムから閲覧可能となるように管理する情報閲覧用サーバーと、
前記対象者を世話する個々のスタッフを指揮監督するケアディレクタによる入力操作を受け付けるディレクタ端末と、を含み、
前記ディレクタ端末への入力操作に基づいて特定の対象者の管理情報を前記情報閲覧用サーバーにアップロードさせるアップロード指示を前記ディクタ端末から受けると、前記管理サーバーは、前記特定の対象者の管理情報を前記情報閲覧用サーバーにアップロードするケアサポートシステム。
【請求項２】
前記アップロード指示には前記特定の対象者の管理情報のうち、前記情報閲覧用サーバーにアップロードする項目を指定する情報を含んでおり、
前記管理サーバーは、前記アップロード指示を受けると、前記特定の対象者の管理情報のうち指定された項目を抽出した情報を前記情報閲覧用サーバーにアップロードする請求項１に記載のケアサポートシステム。
【請求項３】
前記ディレクタ端末は、前記外部システムと接続されており、
前記管理サーバーは、前記情報閲覧用サーバーにアップロードされた情報を閲覧するために必要な接続情報を生成するとともに前記ディレクタ端末に送信し、
前記ディレクタ端末は、入力操作に基づいて前記接続情報を前記外部システムに提供することが可能である請求項１又は請求項２に記載のケアサポートシステム。
【請求項４】
前記接続情報は、前記アップロードされた情報が記憶されている領域のネットワークアドレスである請求項３に記載のケアサポートシステム。
【請求項５】
前記接続情報は、前記ネットワークアドレスの情報を内蔵した二次元バーコードである請求項４に記載のケアサポートシステム。
【請求項６】
前記情報閲覧用サーバーには、複数のランクが設定されているとともに、前記アップロードされた管理情報は、前記ランクに応じて閲覧可能な内容が異なり、
前記接続情報は、前記ランクごとに設定されている請求項１から請求項５のいずれかに記載のケアサポートシステム。
【請求項７】
前記情報閲覧用サーバーは、前記特定の対象者の管理情報を追加してアップロード可能である請求項１から請求項６のいずれかに記載のケアサポートシステム。
【請求項８】
前記管理サーバーは、前記情報閲覧用サーバーにアップロードされた情報の閲覧の履歴を取得する履歴管理部を備え、
前記履歴管理部は、前記履歴を前記ディレクタ端末に送信する請求項１から請求項７いずれかに記載のケアサポートシステム。
【請求項９】
前記ディレクタ端末は、前記入力操作に基づいて少なくとも一度閲覧された情報を削除するための削除指示を前記管理サーバーに送信可能であり、
前記管理サーバーは、前記削除指示を受け取ると前記削除指示に基づいて対象の情報を情報閲覧用サーバーから削除する請求項１から請求項８のいずれかに記載のケアサポートシステム。
【請求項１０】
前記情報閲覧用サーバーにアップロードされた管理情報は、インターネットから閲覧可能である請求項１から請求項９のいずれかに記載のケアサポートシステム。
【発明の詳細な説明】
【技術分野】
【０００１】
本発明は、対象者の日常の生活を支援するケアサポートシステムに関する。
【背景技術】
【０００２】
例えば、特許文献１には、介護施設において、業務内容等のデータが登録されており、キーワードを指定して情報を抽出するデータ検索と、監督官庁に提出する書類をデータ検索を利用して作成する資料作成する介護記録保管システムが開示されている。このシステムを用いることで、スタッフが作成したデータをスタッフ全員で共有することができる。
【先行技術文献】
【特許文献】
【０００３】
【特許文献１】特開２００５−３０１８４９号公報
【発明の概要】
【発明が解決しようとする課題】
【０００４】
しかしながら、特許文献１のシステムでは、監督官庁に提出する資料を作成することはできるが、要求に応じて、または、システムの運用側が必要と想定するデータを、外部のシステムから安全に閲覧することはできない。
【０００５】
また、介護施設において、転倒などの事故や体調不良等で、入居者を病院へ緊急搬送することがある。特許文献１のシステムでは、その際に必要になると思われる入居者に関する情報を検索機能を使用して収集し、収集した情報を病院までもっていくことは可能であるが、情報の過不足が発生する虞がある。
【０００６】
そこで本発明は、内部に保管されている管理情報の漏えいを抑制しつつ、外部システムによる情報の閲覧を効果的に行うことができるケアサポートシステムを提供することを目的とする。
【課題を解決するための手段】
【０００７】
上記目的を達成するために本発明のケアサポートシステムは、対象者の管理情報を管理する管理サーバーと、前記管理サーバーによって管理されるとともに、前記管理サーバーで管理されている前記対象者の管理情報の少なくとも一部を外部システムから閲覧可能となるように管理する情報閲覧用サーバーと、前記対象者を世話する個々のスタッフを指揮監督するケアディレクタによる入力操作を受け付けるディレクタ端末と、を含む。前記管理サーバーは、前記ディレクタ端末への入力操作に基づいて特定の対象者の管理情報を前記情報閲覧用サーバーにアップロードさせるアップロード指示を前記ディクタ端末から受けると、前記特定の対象者の管理情報を前記情報閲覧用サーバーにアップロードする。
【０００８】
このように構成することで、対象者全員の管理情報を記憶する管理サーバーと別途も設けられた情報閲覧用サーバーに特定の対象者の管理情報を閲覧可能なようにアップロードする。このようにすることで、情報閲覧用サーバーの情報を閲覧するために外部システムが情報閲覧用サーバーにアクセスしても、管理サーバーへのアクセスが制限される。これにより、外部システムの接続による管理サーバーの不具合の発生を抑制できる。また、外部システムのアクセスによって、情報閲覧用サーバーの情報が消去されたり、書き換えられたりしても、元の情報が管理サーバーに残るため、管理情報が改ざんされたり、消去されたりする不具合を抑制できる。
【０００９】
上記構成において、前記アップロード指示には前記特定の対象者の管理情報のうち、前記情報閲覧用サーバーにアップロードする項目を指定する情報を含んでおり、前記管理サーバーは、前記アップロード指示を受けると、前記特定の対象者の管理情報のうち指定された項目を抽出した情報を前記情報閲覧用サーバーにアップロードしてもよい。
【００１０】
上記構成において、
前記ディレクタ端末は、前記外部システムと接続されており、前記管理サーバーは、前記情報閲覧用サーバーにアップロードされた情報を閲覧するために必要な接続情報を生成するとともに前記ディレクタ端末に送信し、前記ディレクタ端末は、入力操作に基づいて前記接続情報を前記外部システムに提供することが可能であってもよい。
【００１１】
上記構成において、前記接続情報は、前記アップロードされた情報が記憶されている領域のネットワークアドレスを挙げることができる。また、前記ネットワークアドレスの情報を内蔵した二次元バーコードを挙げることができる。
【００１２】
上記構成において、前記情報閲覧用サーバーには、複数のランクが設定されているとともに、前記アップロードされた管理情報は、前記ランクに応じて閲覧可能な内容が異なり、前記接続情報は、前記ランクごとに設定されていてもよい。
【００１３】
上記構成において、前記情報閲覧用サーバーは、前記特定の対象者の管理情報を追加してアップロード可能であってもよい。
【００１４】
上記構成において、前記管理サーバーは、前記情報閲覧用サーバーにアップロードされた情報の閲覧の履歴を取得する履歴管理部を備え、前記履歴管理部は、前記履歴を前記ディレクタ端末に送信してもよい。
【００１５】
上記構成において、前記ディレクタ端末は、前記入力操作に基づいて少なくとも一度閲覧された情報を削除するための削除指示を前記管理サーバーに送信可能であり、前記管理サーバーは、前記削除指示を受け取ると前記削除指示に基づいて対象の情報を情報閲覧用サーバーから削除してもよい。
【００１６】
上記構成において、前記情報閲覧用サーバーにアップロードされた管理情報は、インターネットから閲覧可能であってもよい。
【発明の効果】
【００１７】
本発明によると、内部に保管されている管理情報の漏えいを抑制しつつ、外部システムによる情報の閲覧を効果的に行うことができるケアサポートシステムを提供することが可能である。
【図面の簡単な説明】
【００１８】
【図１】本発明にかかるケアサポートシステムの一例の概略の構成を示す説明図である。
【図２】スタッフ端末の機能ブロック図である。
【図３】検知ユニットの概略の構成を示すブロック図である。
【図４】訪問型のケアサポートシステムの概略の構成を示す説明図である。
【図５】管理サーバーの詳細な構成を示すブロック図である。
【図６】情報閲覧用サーバーの詳細な構成を示すブロック図である。
【図７】本実施形態のケアサポートシステムにおける情報閲覧の流れを示すフローチャートである。
【図８】本実施形態のケアサポートシステムにおける情報閲覧の流れの他の例を示すフローチャートである。
【図９】本実施形態のケアサポートシステムにおける情報閲覧の流れの他の例を示すフローチャートである。
【図１０】本実施形態のケアサポートシステムの情報閲覧用サーバーにおける情報の概念図である。
【発明を実施するための形態】
【００１９】
本発明について、図面に基づいて説明する。なお、本明細書において、スタッフとは、医療、介護または看護に従事する従事者（医師、介護士（介護者）、看護師など）を指す。また、ケアとは、医療、介護または看護に関して対象者に対して実施される世話を指す。
【００２０】
本実施形態のケアサポートシステムは、大きく分けて、施設型と、訪問型（訪問医療型、訪問介護型、訪問看護型を含む）とがある。以下、各タイプのケアサポートシステムについて順に説明する。
【００２１】
＜第１実施形態＞
〔ケアサポートシステム（施設型）〕
図１は、本発明にかかるケアサポートシステムの一例の概略の構成を示す説明図である。ケアサポートシステムＡは、介護施設Ｓに入居している被介護者や、病院に入院している患者（被看護者）の日常の生活を支援するためのシステムである。ケアサポートシステムＡは、施設型であり、見守りシステムとも呼ばれている。ここでは、例として、ケアサポートシステムＡが介護施設内で構築されている場合について説明する。なお、本実施形態では、スタッフによってケアされる対象となる対象者（例えば、被介護者、患者等）は、介護施設Ｓ内の後述す居室に入居しているものである。そのため、ケアされる対象者を入居者と称する。
【００２２】
介護施設Ｓは、スタッフステーション１００および居室１０１を備える。スタッフステーション１００は、居室１０１に入居している入居者の生活をサポートするスタッフＴの待機場所、いわゆる、詰め所である。介護施設Ｓには、ケアサポートシステムＡが設置されている。図１に示すように、ケアサポートシステムＡは、管理サーバー２００と、内部通信回線３１と、外部通信回線３２と、スタッフ端末４００と、ディレクタ端末５００と、検知ユニット６００と、情報閲覧用サーバー７００とを備える。
【００２３】
管理サーバー２００は、例えば、スタッフステーション１００に設置される。管理サーバー２００は、ケアサポートシステムＡで取り扱われる情報を管理する情報管理サーバーである。管理サーバー２００は、中央演算処理装置（ＣＰＵ；Central Processing Unit）を含んで構成される。管理サーバー２００は、内部通信回線３１に接続されている。管理サーバー２００は、内部通信回線３１に接続されている機器と内部通信回線３１を介して情報の送受信が可能である。また、管理サーバー２００は、外部通信回線３２に接続されており、後述する外部システムＳｙｓと通信可能である。
【００２４】
管理サーバー２００が管理する情報としては、例えば、検知ユニット６００から出力される各種の情報（例えば居室１０１内の撮影画像や入居者の生体情報（例えば呼吸状態を示すバイタルデータなどの検知情報）を受信した情報を挙げることができる。また、管理サーバー２００は、スタッフＴに通知すべき情報を表示部１００ｂ1に表示させる。これにより、スタッフステーション１００内において、スタッフＴは、表示部１００ｂ1に表示された情報を見て、入居者の状態（例えば転倒の有無や呼吸状態）を把握できる。表示部１００ｂ1は、例えば管理サーバー２００と通信可能に接続されるパーソナルコンピュータ１００ｂのディスプレイで構成することができる。
【００２５】
また、管理サーバー２００は、入居者のあらゆる情報、例えば、スタッフによる入居者のケアに関する記録であるケア記録情報、入居者の氏名、年齢、緊急連絡先等の個人情報、既往歴、直近の生活状況等の情報を入居者ごとに記憶している。なお、実際には、記憶部２２にデータベースとして記憶されている。
【００２６】
内部通信回線３１は、複数の機器が接続可能である。内部通信回線３１には、管理サーバー２００および管理サーバー２００によって管理される機器、ここでは、スタッフ端末４００、ディレクタ端末５００、検知ユニット６００および情報閲覧用サーバー７００が接続される。内部通信回線３１としては、例えば、有線ＬＡＮ（Local Area Network）、無線ＬＡＮ等を挙げることができる。また、これ以外の通信回線を用いてもよい。なお、ここで、内部通信回線３１の「内部」とは、ケアサポートシステムの内部を示しており、例えば、介護施設Ｓの物理的に内部を示すものではない。例えば、スタッフ端末４００は、内部通信回線３１に接続されている場合、介護施設Ｓから外に出ても内部通信回線３１を介して通信が可能である。また、外部通信回線３２の「外部」も同様に、ケアサポートシステムの外部を示す。
【００２７】
ここで、外部システムとは、ケアサポートシステムＡ以外のシステムのことであり、例えば、入居者が搬送される病院のシステム、入居者が通うリハビリ施設のシステム等を挙げることができるが、これに限定されない。
【００２８】
内部通信回線３１は、スタッフ端末４００、ディレクタ端末５００等が接続されるアクセスポイントＡＰを備える。アクセスポイントＡＰは、例えば、各居室１０１に備えられる。また、居室１０１を繋ぐ廊下（不図示）にも設けられる。つまり、ケアサポートシステムＡでは、介護施設Ｓ内において、スタッフ端末４００及びディレクタ端末５００が常に内部通信回線３１と接続できるように、アクセスポイントＡＰが設置される。
【００２９】
スタッフＴは、スタッフステーション１００にいる場合、表示部１００ｂ1に表示された情報を確認できる。一方で、一旦、スタッフステーション１００を離れてしまうと、すぐに表示部１００ｂ1に表示される情報を確認できない。そこで、ケアサポートシステムＡでは、スタッフＴがスタッフ端末４００を携帯（所有）している。図１において、１人のスタッフＴのみを図示しているが、スタッフＴが複数人存在する場合も、個々のスタッフＴがそれぞれスタッフ端末４００を携帯する。
【００３０】
また、スタッフＴは、スタッフ端末４００を所有しているため、スタッフ端末４００を操作することにより、管理サーバー２００にアクセスして種々の情報を取得し、取得した情報をスタッフ端末４００の後述するスタッフ端末表示部４１に表示させることが可能である。また管理サーバー２００から入力された情報をスタッフ端末表示部４１に表示することができる。また、スタッフＴがスタッフ端末４００で入力する情報としては、入居者のケアに関する情報であるケア記録情報、居室１０１に備えられた備品の補充を行ったことを通知するための情報である補充情報等を挙げることができる。なお、これらの情報は、内部通信回線３１を介して、管理サーバー２００に送信されて、ケア記録情報として記憶される。
【００３１】
外部通信回線３２は、少なくとも情報閲覧用サーバー７００と外部のネットワークに接続された外部システムＳｙｓと接続可能である。なお、外部通信回線３２とは、例えば、インターネット、携帯電話回線等を挙げることができる。また、外部システムＳｙｓの端末を介護施設Ｓに移動可能な場合、例えば、無線ＬＡＮやブルートゥース（登録商標）等の近距離通信回線を含む構成としてもよい。例えば、無線ＬＡＮを用いる場合、外部通信回線３２は、内部通信回線３１とは別のネットワークを構成する。そして、外部通信回線３２には、管理サーバー２００によって許可された機器が、接続可能となる。
【００３２】
＜スタッフ端末４００およびディレクタ端末５００＞
次にスタッフ端末４００について、図面を参照して説明する。図２は、スタッフ端末の機能ブロック図である。図２に示すように、スタッフ端末４００は、スタッフ端末表示部４１と、制御部４２と、記憶部４３と、通信部４４とを備える。
【００３３】
スタッフ端末表示部４１は、表示パネル４１１と、タッチセンサ４１２とを備える。表示パネル４１１は、画像、文字等の情報を表示する。表示パネル４１１としては、例えば、液晶パネル、有機ＥＬパネル等を挙げることができるが、これに限定されない。タッチセンサ４１２は、表示パネル４１１の前面に配置されており、例えば、スタッフＴの指
の接触部分の位置を検知する。これにより、タッチセンサ４１２は、表示パネル４１１に表示された画像のうちスタッフＴの指が接触した画像を検知できる。
【００３４】
スタッフ端末表示部４１は、制御部４２と接続される。制御部４２は、スタッフ端末４００の各部を制御するとともに、スタッフ端末４００で取り扱われる情報の処理を行う。制御部４２は、ＣＰＵを備えている。なお、スタッフ端末４００の情報処理量は、管理サーバー２００の情報処理量よりも少ない。そのため、制御部４２に備えられるＣＰＵは、管理サーバー２００のＣＰＵよりも、処理能力が低いものが用いられることが多い。これにより、消費電力を低減することができ、図示を省略したバッテリーで駆動するスタッフ端末４００の駆動時間を延ばすことが可能である。
【００３５】
記憶部４３は、制御部４２が実行する制御プログラムや各種の情報を記憶するメモリであり、例えばＲＡＭ（Random Access Memory）、ＲＯＭ（Read Only Memory）、不揮発性メモリなどで構成されている。
【００３６】
通信部４４は、内部通信回線３１に接続して、情報を送受信する。また、通信部４４は、後述のアクセスポイントＡＰを介して内部通信回線３１に接続される。なお、通信部４４は、無線通信網および有線通信網の少なくとも一方と接続可能なインターフェースであり、送信回路、受信回路、アンテナ等を備える。
【００３７】
また、スタッフ端末４００は、図示を省略したカメラ機能を備えていてもよい。例えば、カメラは、入居者の転倒、体調不良等の緊急事態が発生したときに、入居者の状態（全体、けが等の外傷がある場合は外傷）、緊急事態が発生した場所等を画像及び動画で撮影できる。この撮影した画像および（または）動画は、報告、治療等に用いることが可能である。なお、これらの画像、動画については、管理サーバー２００の記憶部２２に記憶するときに、後述する制御部２１（後述の情報制御部２１２）によって、プライバシーにかかわる部分（例えば、スタッフＴや入居者の名札、顔等）を隠す画像処理が行われてもよい。
【００３８】
スタッフ端末４００は、以上の構成を有している。スタッフＴは、入居者のケアを行ったとき、そのケアに関する作業内容を文書（ケア記録情報と称する）を作成する。そして、ケアサポートシステムＡにおいてケア記録情報は、管理サーバー２００で管理される。具体的には、スタッフＴは、入居者のケアに関する作業を終了したときに、スタッフ端末４００を利用してケア記録情報を入力することができる。なお、入力されたケア記録情報は、通信ネットワーク３００を介して管理サーバー２００に送信される。
【００３９】
なお、スタッフ端末４００としては、例えば、タブレットやスマートフォンなどの多機能型携帯端末、ノート型パーソナルコンピュータを挙げることができる。また、ブレスレットまたは腕時計等のような装着型のウェアラブルデバイスであってもよい。これら以外にも、スタッフＴに情報を提供できるとともに、スタッフＴによる入力操作を受け付けることができるデバイスを広く採用できる。ここでは、スタッフ端末４００を、携帯性が高く、情報の表示および入力操作が容易なスマートフォン型の携帯端末とする。スタッフ端末４００は、管理サーバー２００から情報を取得したときに、音声、振動等でスタッフＴに通知できる機能を備えていてもよい。
【００４０】
図１等に示すように、アクセスポイントＡＰは、例えば各居室１０１、廊下等に対応して介護施設Ｓ内に設置されている。管理サーバー２００の後述する位置判定部２４は、アクセスポイントＡＰとスタッフ端末４００との間の電波強度に基づいて、スタッフ端末４００の位置、つまり、スタッフＴの位置を判定する。なお、位置判定部２４は、判定した位置を位置情報として生成する。なお、アクセスポイントＡＰは、複数の居室１０１に共通して設置されていてもよい。
【００４１】
また、本実施形態のケアサポートシステムＡは、ケアディレクタＤによって使用される端末装置である、ディレクタ端末５００を含んでいる。ディレクタ端末５００は、スタッフ端末４００と同様に、タブレットやスマートフォンなどの多機能型携帯端末、ノート型パーソナルコンピュータなどで構成されている。ディレクタ端末５００もスタッフ端末４００と同様、内部通信回線３１に接続される。なお、スタッフ端末４００とディレクタ端末５００とは直接情報の送受信が可能であってもよいし、管理サーバー２００を経由して情報の送受信を行ってもよい。ディレクタ端末５００は、情報を表示する表示部５１を備えている。なお、以下の説明では、スタッフ端末表示部４１と区別するために、ディレクタ端末５００の表示部をディレクタ端末表示部５１として説明する。
【００４２】
ここで、ケアディレクタＤとは、少なくとも１人のスタッフＴに対して、入居者のケアやケア以外の作業（例えば備品補充、部屋の清掃など）に関する指示や助言を与える指示者（監督者）である。例えば、ケアディレクタＤがディレクタ端末５００を操作して指示情報を入力すると、その指示情報がディレクタ端末５００から内部通信回線３１を介してスタッフ端末４００に送信される。指示情報をスタッフ端末４００のスタッフ端末表示部４１に表示させることにより、スタッフＴは、表示された指示情報に基づいて適切なケア等の作業を行うことができる。また、ケアディレクタＤは、ディレクタ端末５００を操作して、管理サーバー２００における動作の設定および変更を行うことが可能である。
【００４３】
居室１０１は、介護施設Ｓにおいて少なくとも１つ設けられており、図１では例として居室１０１が２つ設けられている場合を示している。居室１０１内には、入居者が使用するベッド１０２が１つ設置されている。なお、居室１０１として、ここでは１人部屋を想定しているが、２人部屋や４人部屋等の多床室であってもよい。多床室の場合、居室１０１内で過ごす入居者の数だけ、ベッド１０２が設置される。
【００４４】
また、各居室１０１には、コールボタン１０３が設置されている。コールボタン１０３は、入居者の入力操作に応じて、入居者を世話するスタッフＴを呼び出すための呼出信号を出力する操作ユニットであり、内部通信回線３１と接続されている。例えば、緊急時や必要なときに、入居者がコールボタン１０３を操作（例えば押圧）すると、呼出信号が管理サーバー２００に入力される。管理サーバー２００からディレクタ端末５００に呼出要求が通知される。ディレクタ端末５００は、ディレクタ端末表示部５１に呼出要求に関する情報（居室番号、入居者名、呼出し所間等）を表示する。これにより、ケアディレクタＤは、コールボタン１０３が操作されたことを認知できる。そして、ケアディレクタＤは、ディレクタ端末５００を操作して、入居者への駆け付けが可能なスタッフＴのスタッフ端末４００に、駆け付けを指示する情報を送信することができる。
【００４５】
＜検知ユニット６００＞
次に、検知ユニット６００について説明する。図３は、検知ユニットの概略の構成を示すブロック図である。検知ユニット６００は、入居者の居室１０１内に設置され、居室１０１内の入居者の状態（例えば身体状態）を入居者とは非接触で検知する非接触センサを備える。検知ユニット６００は、電波検出部６１、光学検出部６２およびユニット制御部６３を備えている。検知ユニット６００は、電波検出部６１をはじめ、光学検出部６２など、種々のセンサを備えていることから、センサボックスとも呼ばれる。
【００４６】
電波検出部６１は、電波の放射および受信によって、居室１０１内での入居者の状態を検知するセンサである。電波検出部６１は、不図示の放射部および受信部を備えており、例えば２４ＧＨｚ帯のマイクロ波を放射し、入居者にて反射してドップラーシフトした反射波を受信するマイクロ波ドップラーセンサによって構成される。これにより、電波検出部６１は、受信した反射波から、入居者の呼吸状態（呼吸数）、睡眠状態、心拍数などを生体情報（バイタルデータ）として検出することができる。
【００４７】
なお、入居者が呼吸しているとき（睡眠中も含む）、入居者の呼吸による体の微小な動き（微体動）が生じる。このため、入居者の呼吸状態や睡眠状態を検出することは、入居者の微体動を検出するのと同じである。このことから、電波検出部６１は、入居者（被検者）の微体動を検出する微体動検出部として機能しているとも言うことができる。
【００４８】
また、電波検出部６１は、電波（マイクロ波）を放射し、入居者にて反射してきた電波（反射波）の周波数と、放射した電波の周波数とを比較することにより、入居者の身体の動き（体動）を検出することもできる。なお、電波検出部６１は、体動および微体動のどちらか一方のみを検出するセンサであってもよい。
【００４９】
光学検出部６２は、居室１０１内を撮影して画像を取得する撮像部である。例えば、可視光の光量が少ない場合でも、居室１０１内部を撮影できる赤外画像センサを備えていてもよい。光学検出部６２で取得された居室１０１内の画像の情報（画像データ）は、不図示の記憶部に一時的に記憶された後、例えば管理サーバー２００からの送信要求に基づいて又は自動的に（一定期間ごとに）管理サーバー２００に送信される。
【００５０】
ユニット制御部６３は、検知ユニット６００内の各部の動作を制御するＣＰＵで構成されている。ユニット制御部６３は、電波検出部６１および光学検出部６２の動作を制御する。ユニット制御部６３は、電波検出部６１および光学検出部６２から得た情報に対して画像処理や信号処理を行い、得られた結果を被介護者の状態に関する情報として管理サーバー２００に出力する。
【００５１】
＜ケアサポートシステムＡ２（訪問型）＞
図４は、訪問型のケアサポートシステムの概略の構成を示す説明図である。訪問型のケアサポートシステムＡ２は、健康を管理する対象者のそれぞれの自宅（例えば居室１１０）に上述した検知ユニット６００を設置する。ケアサポートシステムＡ２では、各検知ユニット６００を、内部通信回線３１を介して管理サーバー２００、スタッフ端末４００およびディレクタ端末５００と通信可能に接続する。訪問型のケアサポートシステムＡ２の基本的な構成は、建物ごとに検知ユニット６００を設置した点を除けば、施設型のケアサポートシステムＡの基本的な構成と同じである。
【００５２】
訪問型のケアサポートシステムＡ２において、スタッフＴは、建物の中ではなく、対象者の自宅にケアに伺う。そのため、スタッフ端末４００の内部通信回線３１への接続だけで、スタッフ端末４００の位置を判定するのが困難な場合がある。そのため、スタッフ端末４００は、ＧＰＳ（global positioning system）信号を受信できる機能を有していることが望ましい。この場合、管理サーバー２００の位置判定部２４は、ＧＰＳ信号からスタッフ端末４００の位置を判定して、位置情報を生成できる。なお、ＧＰＳを用いる場合、スタッフ端末４００でＧＰＳ信号から位置（緯度、経度）を計算し、その位置（緯度、経度）を管理サーバー２００に送信してもよい。管理サーバー２００は、位置（緯度、経度）をそのまま位置情報に組み込んでもよいし、別途、管理サーバー２００上におけるローカルマップに基づく位置情報を生成してもよい。
【００５３】
＜管理サーバー２００の詳細な構成＞
次に、管理サーバー２００の詳細な構成について説明する。なお、以下では、施設型のケアサポートシステムＡを例として説明するが、訪問型のケアサポートシステムＡ２でも同様の構成を適用することができる。
【００５４】
図５は、管理サーバーの詳細な構成を示すブロック図である。管理サーバー２００は、制御部２１と、記憶部２２と、通信部２３と、位置判定部２４と、を備える。
【００５５】
記憶部２２は、例えばハードディスク、半導体メモリ等の読み書き可能な記録媒体を備えている。制御部２１が実行するプログラム、制御部２１で取り扱われる各種情報を記憶する。なお、後記各種情報には、例えば、被介護者の日々の体温、体動（動き、単位時間あたりの動きの回数、動きの量を含む）、微体動（呼吸数）、血圧、睡眠状態などの生体情報（バイタルデータ）、検知ユニット６００で検知された居室１０１の状態を示す検知情報、居室１０１の備品の残量を示す備品残量情報等がが含まれる。また、記憶部２２にはこれら以外の情報も記憶される。なお、生体情報は、スタッフＴがスタッフ端末４００を用いて入力したものであってもよいし、検知ユニット６００によって検知されてもよい。また、検知情報は、管理サーバー２００からの情報の送信要求に応じて、検知ユニット６００から管理サーバー２００に送信されてもよいし、検知ユニット６００から自動的（例えば、定期的）に管理サーバー２００に送信されてもよい。
【００５６】
また、記憶部２２は、居室１０１内の対象者をケアするための管理情報として、対象者、居室１０１（例えば部屋番号）、対象者のケアプラン、対象者のケアの必要度（例えば介護度）に関する情報を対応付けて記憶している。上記管理情報の入力は、例えば管理サーバー２００と接続されるパーソナルコンピュータ１００ｂ（図１参照）での操作によって行われる。上述のケアプランは、スタッフＴが実施すべきケアの予定を示すものである。上記ケアとしては、例えば食事および水分を摂取する際の補助、起床後の更衣、整髪、洗面等の補助、薬を服用するときの補助などを挙げることができる。
【００５７】
また、上記の管理情報には、対象者のケアにあたってスタッフＴが記録するケア記録情報が含まれる。ケア記録情報は、例えばスタッフＴがケアに関する作業が終了したときに、スタッフ端末４００上で入力され、記憶部２２に記憶される。しかしながら、これに限定されず、パーソナルコンピュータ１００ｂで入力されて記憶部２２に記憶されてもよい。
【００５８】
このケア記録情報には、例えば対象者の食事もしくは水分の摂取状態、または排泄状態に関する情報が含まれる。食事の摂取状態としては、例えば対象者が食べた主食および副食の種類（名称）、主食量と副食量との比率などを考えることができる。水分の摂取状態としては、例えば、前回の水分摂取量、一日の水分摂取量、一日の水分摂取回数などを考えることができる。排泄状態としては、例えば、排尿の有無、排便量、便質などを考えることができる。なお、排泄状態については、対象者が介護用おむつ（パッド）を装着している場合には、スタッフＴが介護用おむつを交換する際にそのおむつ内を目視で確認することで、ケア記録情報として記録することができるが、対象者が介護用おむつを装着していない場合は、排泄状態に関する対象者の発言をそのままケア記録情報として記録すればよい。
【００５９】
通信部２３は、内部通信回線３１と接続するためのインターフェースであり、送信回路、受信回路、アンテナ等を備える。管理サーバー２００は、通信部２３を介して内部通信回線３１と接続された機器（例えばスタッフ端末４００、ディレクタ端末５００及び検知ユニット６００等）との間で情報の入出力を行う。
【００６０】
位置判定部２４は、スタッフＴが所有するスタッフ端末４００との通信結果（通信状態を含む）、または検知ユニット６００による検知結果に基づいて、スタッフＴの位置を判定するブロックである。位置判定部２４は、例えばＣＰＵで構成される。スタッフＴの位置判定の手法の詳細は、以下の通りである。位置判定部２４は、制御部２１で実行されるプログラムで提供されてもよい。
【００６１】
位置判定部２４は、アクセスポイントＡＰおよび内部通信回線３１を介してスタッフ端末４００と通信する際に、アクセスポイントＡＰとスタッフ端末４００との間の電波強度を把握する。そして、位置判定部２４は、電波強度に基づいて、スタッフ端末４００（スタッフＴ）がアクセスポイントＡＰに近づいたかどうか、つまり、アクセスポイントＡＰと対応する居室１０１に近づいたかどうかを判定する。例えば電波強度が閾値以上である場合には、スタッフ端末４００が居室１０１に近い位置にあると判断できる。閾値未満である場合には、スタッフ端末４００が居室１０１から離れた位置にある（スタッフＴの位置が居室１０１から遠い）と判断できる。また、位置判定部２４は、電波強度の大きさに応じて、スタッフ端末４００（スタッフＴ）と居室１０１との間の距離を複数段階で把握することも可能である。
【００６２】
また、検知ユニット６００では、上述のように、光学検出部６２で取得された画像に基づいて、居室１０１内に複数人が存在するか否かを検知することができる。ここで、１人部屋の居室１０１内に複数人が存在すると、居室１０１内には、対象者以外にスタッフＴが含まれる可能性が高い。また、居室１０１が多床室である場合でも、居室１０１内で過ごす対象者の数よりも多い人数が検知された場合、居室１０１内には、複数の対象者以外にスタッフＴが含まれる可能性が高い。したがって、位置判定部２４は、検知ユニット６００にて、居室１０１内で過ごす対象者の数よりも多い人数が検知された場合に、スタッフＴが居室１０１に入室したと判定することができる。
【００６３】
さらに、介護施設Ｓには、スタッフ端末４００を含む端末の位置を確認するための位置検出装置（例えば、ビーコン）が備えられている場合がる。このような、位置検出装置を備えた構成の場合、位置判定部２４は、位置検出装置からの情報に基づいて、位置情報を生成してもよい。
【００６４】
制御部２１は、全体制御部２１１および情報制御部２１２を含む。全体制御部２１１は、管理サーバー２００の各部の動作を制御するブロックであり、例えばＣＰＵで構成されている。情報制御部２１２は、管理サーバー２００で管理する情報を制御するブロックであり、例えばＣＰＵで構成されている。なお、全体制御部２１１および情報制御部２１２は、同一のＣＰＵで構成されてもよい。また、全体制御部２１１および情報制御部２１２の少なくとも一方が、上記した位置判定部２４を兼ねていてもよい。
【００６５】
情報制御部２１２には、閲覧用サーバー管理部２１３と、履歴管理部２１４とを備える。閲覧用サーバー管理部２１３および履歴管理部２１４は、制御ブロックである。閲覧用サーバー管理部２１３および履歴管理部２１４は、独自のＣＰＵを備えていてもよいし、情報制御部２１２と少なくとも一部を共用してもよいし、情報制御部２１２で動作するプログラムとして提供されてもよい。ここでは、閲覧用サーバー管理部２１３および履歴管理部２１４は、情報制御部２１２に組み込まれた制御回路とする。
【００６６】
閲覧用サーバー管理部２１３は、情報閲覧用サーバー７００の管理を行う。なお、情報閲覧用サーバー７００の管理は、外部通信回線３２への接続／切断の管理、アップロードする情報の選択およびアップロードの管理、情報閲覧用サーバー７００内の情報へのアクセスに必要な接続情報の生成および外部システムＳｙｓの提供、閲覧用サーバー内の情報の削除指示等を含む。
【００６７】
履歴管理部２１４は、情報閲覧用サーバー７００内の情報に対する外部システムＳｙｓによる閲覧が行われたことを示す閲覧情報を、情報閲覧用サーバー７００の後述する制御部７１から取得する。そして、閲覧情報をもとに、一定期間における閲覧の履歴である閲覧履歴を生成するとともに、記憶部２２に記憶し、管理する。閲覧履歴は、閲覧用サーバー管理部２１３の閲覧用サーバー内の情報の削除指示等に用いられる。
【００６８】
＜情報閲覧用サーバー７００の詳細な構成＞
ケアサポートシステムＡでは、管理サーバー２００とは、独立した情報閲覧用サーバー７００を備えている。例えば、情報閲覧用サーバー７００には、外部システムＳｙｓに開示してもよい情報のみが、必要に応じて、あるいは、要求に応じてアップロードされる。これにより、外部システムＳｙｓが情報閲覧用サーバー７００にアクセスした場合でも、必要以上の情報が外部システムＳｙｓに流れるのを抑制できる。すなわち、情報漏えいに対する危機管理を行うことができる。
【００６９】
次に、情報閲覧用サーバー７００の詳細な構成について説明する。なお、以下では、施設型のケアサポートシステムＡを例として説明するが、訪問型のケアサポートシステムＡ２でも同様の構成を適用することができる。
【００７０】
図６は、情報閲覧用サーバーの詳細な構成を示すブロック図である。情報閲覧用サーバー７００は、制御部７１と、記憶部７２と、通信部７３と、を備える。情報閲覧用サーバー７００は、情報を格納してその情報の閲覧を管理するサーバーである。そして、情報閲覧用サーバー７００の内部の情報は、管理サーバー２００によって管理される。
【００７１】
情報閲覧用サーバー７００には、管理サーバー２００に格納されている入居者の管理情報をアップロード可能である。そして、情報閲覧用サーバー７００は、外部通信回線３２に接続されている。情報閲覧用サーバー７００は、外部システムＳｙｓによる内部の情報の閲覧（ダウンロードを含む場合もある）を許容する。すなわち、情報閲覧用サーバー７００は、管理サーバー２００からアップロードされた情報を管理するとともに、外部システムＳｙｓによる情報の閲覧を制御する。
【００７２】
記憶部７２は、例えば、ハードディスク、半導体メモリのような読み書き可能な記録媒体を含む。そして、記憶部７２には、外部システムＳｙｓから閲覧可能になっている。なお、記憶部７２の全体が閲覧可能でなくてもよい。本実施形態では、記憶部７２に閲覧可能領域７２１を設け、閲覧可能領域７２１のみ外部システムＳｙｓから閲覧可能としている。
【００７３】
通信部７３は、内部通信回線３１および外部通信回線３２に接続するためのインターフェースを備える。なお、内部通信回線３１に接続するインターフェースと、外部通信回線３２と接続するインターフェースは別のインターフェースである。少なくとも、通信部７３は、内部通信回線３１に接続しているときにのみ、外部通信回線３２に接続する。このようにすることで、情報閲覧用サーバー７００が管理サーバー２００からの指示、情報を常に受けることができる。これにより、管理サーバー２００は、情報閲覧用サーバー７００を管理できる。
【００７４】
制御部７１は、情報制御部７１１と、閲覧制御部７１２と、を備える。情報制御部７１１は、管理サーバー２００からアップロードされる情報を制御する。情報の制御としては、例えば、情報のアップロードの実行、情報のアップロードの日時、アップロードされた情報の項目、閲覧期限、情報の削除等を挙げることができる。これら以外にも、アップロードされる情報に関する制御及び管理を行う。なお、アップロードされた情報の項目とは、例えば、ケア記録情報、入居者の氏名、年齢、緊急連絡先等の個人情報、既往歴、直近の生活状況等の情報、画像、動画等である。情報制御部７１１では、項目を管理するだけで、項目内の情報は管理しない。
【００７５】
閲覧制御部７１２は、外部システムＳｙｓによる情報の閲覧(アクセス)を管理する。そして、閲覧制御部７１２は、外部システムＳｙｓによる情報の閲覧を確認すると、外部システムＳｙｓの情報の閲覧に関する情報を含む閲覧情報を生成するとともに、管理サーバー２００に送信する。なお、閲覧情報としては、例えば、閲覧した外部システムＳｙｓの情報および閲覧日時、閲覧した項目、閲覧回数等を挙げることができる。また、これ以外にも、外部システムＳｙｓによる情報の閲覧に関連した情報を含んでもよい。
【００７６】
〔具体例１〕
次に、本実施形態のケアサポートシステムＡの具体的な処理について図面を参照して説明する。介護施設ＳにおけるスタッフＴのケア業務には、例えば、食事介助、入浴介助、トイレ介助等、日常生活の動作の介助がある。この日常生活の動作の介助は、定期的に繰り返し発生する業務である。ケアサポートシステムＡでは、これら定期的に繰り返し発生する業務を「定常業務」と称する。一方で、ケア業務には、例えば、入居者が転倒して搬送されるときの搬送手伝い、新たなリハビリ施設に通う手伝い等の突発的に発生する業務も存在する。ケアサポートシステムＡでは、このような突発的に発生する業務を「非定常業務」と称する。
【００７７】
ケアサポートシステムＡにおいて、定常業務が行われているときには、入居者の管理情報は外部に漏れないように、厳重に管理される。一方で、例えば、入居者が転倒して負傷して緊急搬送される、入居者が突然の体調不良で緊急搬送されるといった非定常業務が発生する場合がある。このような場合、診察、治療等を迅速かつ効果的に行うため、搬送される病院等の外部の施設に入居者の管理情報を提供する場合がある。
【００７８】
以下に、非定常業務発生時のケアサポートシステムＡによる外部システムＳｙｓへの情報の閲覧の流れについて、図面を参照して説明する。図７は、本実施形態のケアサポートシステムにおける情報閲覧の流れを示すフローチャートである。本例では、入居者が転倒により負傷して、緊急搬送を行う非定常業務が発生した場合を例に説明する。なお、非定常業務には、介護施設Ｓ内部で対処可能なものと、病院等の外部システムＳｙｓのサポートが必要なものとがある。そして、入居者の管理情報の閲覧は、外部のサポートが必要な非定常業務が発生したときにのみ行われる。そのため、外部のサポートが必要な非定常業務をその他の非定常業務と区別するため、「情報閲覧を伴う非定常業務」とする。
【００７９】
管理サーバー２００は、検知ユニット６００からの検知情報および（または）スタッフ端末４００に対する入力操作による情報に基づいて情報閲覧を伴う非定常業務が発生したことを確認する（ステップＳ１０１）と、管理サーバー２００は、情報閲覧を伴う非定常業務が発生したことを、ディレクタ端末５００に通知する（ステップＳ１０２）。
【００８０】
管理サーバー２００は、ディレクタ端末５００からアップロード指示を受けるまで待機する（ステップＳ１０３）。すなわち、アップロード指示があるまで（ステップＳ１０３でＮｏの間）、指示を待つ（ステップＳ１０３を繰り返す）。なお、アップロード指示は、入居者の管理情報のうち、ケアディレクタＤによるディレクタ端末５００の操作によって決定される。アップロード指示には、入居者の管理情報のうち、ケアディレクタＤが緊急搬送先の病院で必要と想定する項目の情報を含む。ディレクタ端末５００からアップロード指示があった場合(ステップＳ１０３でＹｅｓの場合)、閲覧用サーバー管理部２１３は、アップロード指示に基づいてアップロードする項目を確認する（ステップＳ１０４）。
【００８１】
そして、閲覧用サーバー管理部２１３は、記憶部２２にアクセスして、対象となる入居者の管理情報から、アップロード指示で指示されている項目の情報を抽出した抽出情報を生成し（ステップＳ１０５）する。そして、閲覧用サーバー管理部２１３は、抽出情報を情報閲覧用サーバー７００に送信する。情報閲覧用サーバー７００では、情報制御部７１１が、抽出情報を記憶部７２の閲覧可能領域７２１に記憶（アップロード）する（ステップＳ１０６）。このとき、情報制御部７１１は、アップロードの日時、アップロードされた情報の項目、閲覧期限を管理する。なお、ここで管理とは、期限の管理及び管理期限までの各情報の保持を含む。各情報を保持するための管理情報は、記憶部７２に記憶してもよいし、情報制御部７１１自体が記憶装置を備えている場合には、情報制御部７１１が記憶してもよい。
【００８２】
そして、閲覧用サーバー管理部２１３からの閲覧開始の指示を受け取ると、制御部７１は通信部７３を制御して、外部通信回線３２で閲覧可能領域７２１内の情報を閲覧可能にする（ステップＳ１０７）。なお、本実施形態では、アップデート指示および抽出情報に、閲覧開始の指示が含まれているとしている。そのため、閲覧用サーバー管理部２１３から抽出情報の提供があったときに、制御部７１は、閲覧開始の指示を受け取ったものと判断する。しかしながら、これに限定されず、例えば、ディレクタ端末５００からアップロード指示と、閲覧開始の指示とが個別に入力されてもよい。その場合、閲覧用サーバー管理部２１３は、情報閲覧用サーバー７００に抽出情報を送信した後、ディレクタ端末５００からの閲覧開始の指示を受け付けたときに、制御部７１に対して閲覧開始の指示を送る。
【００８３】
閲覧用サーバー管理部２１３は、閲覧開始の指示を受けるとともに、閲覧可能領域７２１を閲覧するために必要な接続情報を生成し、ディレクタ端末５００に送信する(ステップＳ１０８)。そして、ディレクタ端末５００は、ケアディレクタＤによる入力操作に基づいて、接続情報を外部システムＳｙｓに接続情報を通知する（ステップＳ１０９）。
【００８４】
なお、接続情報としては、情報閲覧用サーバー７００の閲覧可能領域７２１の情報が記録されている領域のネットワークアドレスを挙げることができる。また、情報にアクセスするためのアクセス権が設定された情報（パスコード等）であってもよい。これらの情報については、外部通信回線３２を通じて、ディレクタ端末５００から外部システムＳｙｓに送るものしているが、これに限定されない。例えば、接続情報を含む二次元バーコードをっ生成し、その画像情報を送信してもよい。さらには、二次元バーコードを印刷し、搬送される入居者と共に、例えば、手や足に取り付けられるタグに印刷して提供してもよい。
【００８５】
このようなケアサポートシステムＡでは、管理サーバー２００が外部通信回線３２と直接接続しないので、管理サーバー２００に記憶されている入居者全員の管理情報の漏えいを抑制することができる。また、外部システムＳｙｓから管理情報の閲覧が必要な場合であっても、外部システムＳｙｓの業務に必要な情報のみを情報閲覧用サーバー７００にアップロードするため、他の管理情報が抜き取られる虞が少ない。また、情報閲覧用サーバー７００にアップロードされた情報は、管理サーバー２００で管理される管理情報の少なくとも一部のコピーであるため、誤った操作等によって外部システムＳｙｓが消去したり、情報を書き換えてしまったりしても、元の管理情報には影響しない。すなわち、ケアサポートシステムＡの情報漏えいに対するセキュリティを高めることが可能である。
【００８６】
＜第２実施形態＞
本発明にかかるケアサポートシステムの他の例について図面を参照して説明する。図８は、本実施形態のケアサポートシステムにおける情報閲覧の流れの他の例を示すフローチャートである。本実施形態におけるケアサポートシステムＡの構成は、第１実施液体のケアサポートシステムＡと同じである。そのため、同じ符号を付すとともに詳細な説明は省略する。そして、図８に示すフローチャートは、図７に示すフローチャートのステップＳ１０９の後に配置される。そのため、図８に示すフローチャートでは、ステップＳ１０９以降のみ記載しており、その他の図７に示すフローチャートと同じ部分は省略する。
【００８７】
外部通信回線３２を介して閲覧可能領域７２１が外部システムＳｙｓから閲覧可能になった後（ステップＳ１０９の後）、履歴管理部２１４は、閲覧制御部７１２からの閲覧情報の有無によって、外部システムＳｙｓから閲覧可能領域７２１の情報が閲覧されたか確認する（ステップＳ２０１）。閲覧が行われていない場合（ステップＳ２０１でＮｏの場合）、履歴管理部２１４は、情報が閲覧されない時間が一定時間以上経過したか確認する（ステップＳ２０２）。閲覧されない時間が一定時間以上経過していない場合（ステップＳ２０２でＮｏの場合）、履歴管理部２１４は、閲覧監視を継続する（ステップＳ２０１に戻る）。閲覧されない時間が一定時間以上経過した場合（ステップＳ２０２でＹｅｓの場合）、閲覧用サーバー管理部２１３は情報閲覧用サーバー７００の情報制御部７１１に削除指示を送る（ステップＳ２０５）。情報制御部７１１は、削除指示に従って、閲覧可能領域７２１にアップロードされた情報を削除する（ステップＳ２０６）。
【００８８】
また、閲覧可能領域７２１の情報に対して外部システムＳｙｓが閲覧を行った場合（ステップＳ２０１でＹｅｓの場合）、履歴管理部２１４は、閲覧制御部７１２からの閲覧情報に基づいて閲覧回数をカウントする（ステップＳ２０３）。そして、閲覧制御部７１２は、閲覧回数が一定回数に達したか否か確認する（ステップＳ２０４）。閲覧回数が一定数に到達していない場合（ステップＳ２０４でＮｏの場合）、履歴管理部２１４は、閲覧監視を継続する（ステップＳ２０１に戻る）。また、閲覧回数が一定回数に達した場合（ステップＳ２０４でＹｅｓの場合）、閲覧用サーバー管理部２１３は情報閲覧用サーバー７００の情報制御部７１１に削除指示を送る（ステップＳ２０５）。以下上述した通りである。
【００８９】
以上示したように、一定時間閲覧がなされなかった場合、情報制御部７１１は、閲覧可能領域７２１にアップロードされた情報は、外部システムＳｙｓにとって不要な情報と判断して、削除する。また、閲覧回数が一定回数を超えた場合、情報制御部７１１は、外部システムＳｙｓは十分に閲覧可能領域７２１にアップロードされた情報を閲覧したと判断して削除する。このようにすることで、閲覧可能領域７２１にアップロードされた情報が、長期間、閲覧可能な状態に維持されるのを抑制できる。これにより、個人情報の漏えいを抑制できる。なお、本実施形態では、時間経過と閲覧回数の両方の条件で、削除を行うものとしているが、いずれか一方だけであってもよい。
【００９０】
これ以外の特徴については、第１実施形態と同じである。
【００９１】
＜第３実施形態＞
本発明にかかるケアサポートシステムの他の例について図面を参照して説明する。図９は、本実施形態のケアサポートシステムにおける情報閲覧の流れの他の例を示すフローチャートである。本実施形態におけるケアサポートシステムＡの構成は、第１実施液体のケアサポートシステムＡと同じである。そのため、同じ符号を付すとともに詳細な説明は省略する。そして、図９に示すフローチャートは、図７に示すフローチャートのステップＳ１０９の後に配置される。そのため、図９に示すフローチャートでは、ステップＳ１０９以降のみ記載しており、その他の図７に示すフローチャートと同じ部分は省略する。
【００９２】
入居者が病院に搬送されたときに、搬送された入居者の管理情報のうち、ケアディレクタＤが許可した項目が病院（外部システムＳｙｓ）から閲覧可能なように、情報閲覧用サーバー７００にアップロードされる。一方で、ケアディレクタＤが必要と想定した情報は、外部システムＳｙｓで不要であったり、不要と想定した情報が、外部システムＳｙｓで必要であったりする。例えば、病院のスタッフ（例えば、医師、看護師）は、ケアディレクタＤはよりも医療に関する専門的な知識に関する広い見識を有している場合が多い。そのため、ケアディレクタＤと病院のスタッフとでは搬送された入居者に関する情報の要求する内容が異なる場合がある。
【００９３】
このような場合に備えて、ケアサポートシステムＡでは、ケアディレクタＤによるディレクタ端末５００の入力操作に基づいて、情報閲覧用サーバー７００に情報の追加アップロードが可能となっている。
【００９４】
外部通信回線３２を介して閲覧可能領域７２１が外部システムＳｙｓから閲覧可能になった後（ステップＳ１０９の後）、ディレクタ端末５００は、外部システムＳｙｓから情報の追加要求を受け付けると（ステップＳ３０１）、ディレクタ端末表示部５１に追加要求を表示する（ステップＳ３０２）。なお、追加要求には、追加して閲覧を希望する項目としては、例えば、手術歴、アレルギーの有無、転倒時の写真、動画を挙げることができる。またこれ以外にも、医療（診察、治療）に必要な項目を含んでいてもよい。
【００９５】
ディレクタ端末５００は、ケアディレクタＤによる入力操作があると、管理サーバー２００に対して、追加アップロード指示を送信する。すなわち、管理サーバー２００の閲覧用サーバー管理部２１３は、追加アップロード指示があるか確認する（ステップＳ３０３）。追加アップロード指示が無い場合（ステップＳ３０３でＮｏの場合）、追加アップロード指示の確認を継続する（ステップＳ３０３を繰り返す）。追加アップロード指示があった場合（ステップＳ３０３でＹｅｓの場合）、追加アップロード指示に基づいて項目を確認する（ステップＳ３０４）。なお、追加アップロード指示には、情報閲覧用サーバー７００に情報をアップロードする指示と、追加でアップロードする項目を含む。そして、閲覧用サーバー管理部２１３は、記憶部２２にアクセスし、追加アップロード指示を参照して、対象となる入居者の管理情報から指定された項目の情報を抽出する（ステップＳ３０５）。そして、閲覧用サーバー管理部２１３は、追加情報を生成し、情報閲覧用サーバー７００にアップロードする（ステップＳ３０６）。
【００９６】
このようなケアサポートシステムＡでは、必要に応じて、情報閲覧用サーバー７００に情報を追加することが可能である。これにより、最初から必要以上の情報を外部システムＳｙｓから閲覧可能にしてしまったり、外部システムＳｙｓから十分な情報を閲覧できなかったりする不具合を抑制できる。これにより、ケアサポートシステムＡおよびケアサポートシステムＡと関連する外部システムＳｙｓ（例えば、搬送先の病院）等の業務の効率化を図ることができる。
【００９７】
これ以外の特徴については、第１実施形態及び第２実施形態と同じである。
【００９８】
＜第４実施形態＞
本発明にかかるケアサポートシステムの他の例について図面を参照して説明する。図１０は、本実施形態のケアサポートシステムの情報閲覧用サーバーにおける情報の概念図である。図１０に示す三角形は、情報閲覧用サーバー７００の閲覧可能領域７２１に記憶されたある入居者のアップロード情報Ｉｕである。
【００９９】
入居者の管理情報には、多くの人に開示してもよい情報（例えば、氏名、年齢等）もあるが、開示する人を制限した方がよい情報（例えば、既往歴、要介護認定区分）もある。そして、情報閲覧用サーバー７００に情報をアップロードする場合、相手を想定してアップロードする情報を選択する。そして、その相手に応じて、閲覧できる情報が異なることが好ましい場合がある。
【０１００】
例えば、入居者が搬送された病院において、医者は、診察や治療のための情報が必要であるが、このような情報は多くの人に閲覧されたくない情報を含む場合がある。一方で、病院において、医療費の請求を行う事務スタッフは、例えば、氏名、年齢、マイナンバー程度の情報を閲覧できれば業務の遂行が可能である。
【０１０１】
すなわち、同じ病院に情報閲覧用サーバー７００にアップロードされた情報の閲覧を許可する場合であっても、病院のスタッフによって、閲覧可能な情報は異なることがこのましい。そこで、情報閲覧用サーバー７００に情報をアップロードするときに、情報制御部７１１は、項目ごとにランク分けを行う。図１０に示す例では、アップロード情報Ｉｕはいずれも同じ入居者の管理情報から抽出したものであるが、項目ごとに、ランク１〜ランク３にランク分けしている。そして、ディレクタ端末５００は、ランクごとに異なる接続情報を外部システムＳｙｓに送信する。
【０１０２】
なお、図１０に示すアップロード情報Ｉｕでは、下からランク１、ランク２、ランク３としている。図１０に示す例においてランク３のスタッフＳＴ３は、最も上の三角形で示す部分、すなわち、情報Ｉｕ３のみ閲覧可能である。また、ランク２のスタッフＳＴ２は、上から２段までの情報、すなわち、情報Ｉｕ３と情報Ｉｕ２とが閲覧可能である。さらに、ランク１のスタッフＳＴ１は、情報Ｉｕの全てを閲覧可能である。
【０１０３】
例えば、病院スタッフにおいて医師は、ランク１のスタッフＳＴ１とする。そして、スタッフＳＴ１には、ランク１の情報Ｉｕ１を閲覧可能な接続情報Ａｋ１を通知する。また、看護師、介護士、理学療法士等の専門職スタッフは、ランク２のスタッフＳＴ２とする。そして、ランク２のスタッフＳＴ２には、ランク２の情報Ｉｕ２を閲覧可能な接続情報Ａｋ２を通知する。さらに、事務スタッフ等の一般スタッフは、ランク３のスタッフＳＴ３とする。ランク３のスタッフＳＴ３には、ランク３の情報Ｉｕ３を閲覧可能な接続情報Ａｋ３を通知する。
【０１０４】
上述の例でいくと、医師は、情報閲覧用サーバー７００にアップロードされている情報の全てを閲覧可能である。また、専門職スタッフは、ランク２、３の情報Ｉｕ２、Ｉｕ３を閲覧可能である。このように、ランク分けして閲覧制限を設けることで、情報を必要としている人だけ必要な情報を閲覧可能となる。これにより、なるべく開示したくない情報が多くの人に開示されるのを抑制できる。これにより、情報の拡散を抑制することが可能である。
【０１０５】
これ以外の特徴については、第１実施形態から第３実施形態と同じである。
【０１０６】
以上、本発明の実施形態について説明したが、本発明はこの内容に限定されるものではない。また本発明の実施形態は、発明の趣旨を逸脱しない限り、種々の改変を加えることが可能である。
【符号の説明】
【０１０７】
１００      スタッフステーション
１００ｂ    パーソナルコンピュータ
１００ｂ1  表示部
１０１      居室
１０２      ベッド
１０３      コールボタン
１１０      居室
２００      管理サーバー
２１      制御部
２１１      全体制御部
２１２      情報制御部
２１３      閲覧用サーバー管理部
２１４      履歴管理部
２２      記録部
２３      通信部
２４      位置判定部
３１      内部通信回線
３２      外部通信回線
４００      スタッフ端末
４１      スタッフ端末表示部
４１１      表示パネル
４１２      タッチセンサ
４２      制御部
４３      記憶部
４４      通信部
５００      ディレクタ端末
５１      ディレクタ端末表示部
６００      検知ユニット
６１      電波検出部
６２      光学検出部
６３      ユニット制御部
７００      情報閲覧用サーバー
７１      制御部
７１１      情報制御部
７１２      閲覧制御部
７２      記憶部
７２１      閲覧可能領域
７３      通信部
Ａ      ケアサポートシステム
Ａ２      ケアサポートシステム
ＡＰ      アクセスポイント
Ｄ      ケアディレクタ
Ｉｎ１      入居者
Ｉｕ      アップロード情報
Ｓ      介護施設
Ｓｙｓ      外部システム
Ｔ      スタッフ
【図１】
2019194764.tif 000003
【図２】
2019194764.tif 000004
【図３】
2019194764.tif 000005
【図４】
2019194764.tif 000006
【図５】
2019194764.tif 000007
【図６】
2019194764.tif 000008
【図７】
2019194764.tif 000009
【図８】
2019194764.tif 000010
【図９】
2019194764.tif 000011
【図１０】
2019194764.tif 000012